(57)【特許請求の範囲】
【請求項１】
予め設定された測定条件に従って測定対象についての被測定量を測定する測定部、当該測定部に接続される信号ケーブル、当該信号ケーブルを介して前記測定部に接続される前記測定対象の被接続部、前記信号ケーブルを介して前記測定部に接続される測定用センサ、および当該測定用センサが取り付けられる前記測定対象の被取付け部のうちの予め規定された少なくとも１つの像を示す画像データを記憶すると共に、前記測定部に対する前記測定条件の設定が完了しているか否かを特定可能な情報を当該測定部に付与された識別符号に関連付けて記録した設定状態特定データを記憶する記憶部と、
付与された前記識別符号を示す識別符号表示が配設された前記測定部、接続される前記測定部の前記識別符号を示す前記識別符号表示が配設された前記信号ケーブル、前記信号ケーブルを介して接続される前記測定部の前記識別符号を示す前記識別符号表示が配設された前記被接続部、前記信号ケーブルを介して接続される前記測定部の前記識別符号を示す前記識別符号表示が配設された前記測定用センサ、および取り付けられる前記測定用センサが接続される前記測定部の前記識別符号を示す前記識別符号表示が配設された前記被取付け部のうちの前記予め規定された少なくとも１つが含まれるように撮像した撮像データを出力可能な撮像部と、
前記測定部に対する前記測定条件の設定が完了しているか否かを設定状態確認画面に表示させる確認画面表示処理を実行する処理部とを備え、
前記処理部は、前記確認画面表示処理において、前記撮像部から出力される前記撮像データを画像解析処理して当該撮像部によって撮像された部位に配設されている前記識別符号表示が示す前記識別符号を特定する第１処理、および当該第１処理において特定した前記識別符号が付与されている前記測定部に対する前記測定条件の設定が完了しているか否かを前記設定状態特定データに基づいて特定する第２処理を実行し、かつ前記画像データに基づく画像を前記設定状態確認画面に表示させると共に、前記第２処理において前記測定条件の設定が完了していると特定した前記測定部の前記識別符号を示す前記識別符号表示が配設された前記予め規定された少なくとも１つの像の当該画像内における位置に対応させて当該設定状態確認画面内に設定完了表示を表示させる第３処理、および前記第２処理において前記測定条件の設定が完了していないと特定した前記測定部の前記識別符号を示す前記識別符号表示が配設された前記予め規定された少なくとも１つの像の当該画像内における位置に対応させて当該設定状態確認画面内に設定未完了表示を表示させる第４処理の少なくとも一方を実行する測定条件設定情報表示装置。
【請求項２】
前記記憶部は、前記測定部に対して設定された前記測定条件の測定条件データを前記設定が完了しているか否かを特定可能な情報として当該測定条件が設定された前記測定部の前記識別符号に関連付けて前記設定状態特定データとして記憶し、
前記処理部は、前記第２処理において、前記識別符号に関連付けられた前記測定条件データが存在するときに当該識別符号が付与された前記測定部に対する前記測定条件の設定が完了していると特定し、前記識別符号に関連付けられた前記測定条件データが存在しないときに当該識別符号が付与された前記測定部に対する前記測定条件の設定が完了していないと特定する請求項１記載の測定条件設定情報表示装置。
【請求項３】
前記処理部は、前記第２処理において前記測定部に対する前記測定条件の設定が完了していると特定したときに、前記第３処理において前記測定条件データに基づいて特定される前記測定条件を示す文字情報を前記設定完了表示として表示させる請求項２記載の測定条件設定情報表示装置。
【請求項４】
前記処理部は、前記第３処理において前記予め規定された少なくとも１つにおける前記識別符号表示の像の位置に対応させて前記設定状態確認画面内に前記設定完了表示を表示させ、前記第４処理において前記予め規定された少なくとも１つにおける前記識別符号表示の像の位置に対応させて前記設定状態確認画面内に前記設定未完了表示を表示させる請求項１から３のいずれかに記載の測定条件設定情報表示装置。
【請求項５】
前記処理部は、前記撮像部から出力される前記撮像データを前記予め規定された少なくとも１つの像の前記画像データとして前記記憶部に記憶させる画像データ取得処理を実行する請求項１から４のいずれかに記載の測定条件設定情報表示装置。
【請求項６】
外部装置と通信可能な通信部を備え、
前記処理部は、前記通信部を制御して前記設定状態特定データの送信を要求する送信要求信号を前記外部装置に向けて送信させると共に当該外部装置から送信された当該設定状態特定データを前記記憶部に記憶させる設定状態特定データ取得処理を実行する請求項１から５のいずれかに記載の測定条件設定情報表示装置。
【請求項７】
前記処理部は、前記第２処理において前記測定条件の設定が完了していないと特定した前記測定部が存在し、かつ予め規定された設定開始操作が行われたときに、当該測定条件の設定が完了していない測定部に対する当該測定条件の設定を行う設定画面を表示させると共に、当該設定画面内に入力される当該測定条件の測定条件データを生成して前記記憶部に記憶させる測定条件データ生成処理を実行する請求項１から６のいずれかに記載の測定条件設定情報表示装置。
【請求項８】
請求項１から７のいずれかに記載の測定条件設定情報表示装置と、
前記測定部を有して前記測定対象についての前記被測定量を測定可能に構成された測定装置とを備えて構成されている測定システム。
【請求項９】
予め設定された測定条件に従って測定対象についての被測定量を測定する測定部、当該測定部に接続される信号ケーブル、当該信号ケーブルを介して前記測定部に接続される前記測定対象の被接続部、前記信号ケーブルを介して前記測定部に接続される測定用センサ、および当該測定用センサが取り付けられる前記測定対象の被取付け部のうちの予め規定された少なくとも１つの像を示す画像データを記憶すると共に、前記測定部に対する前記測定条件の設定が完了しているか否かを特定可能な情報を当該測定部に付与された識別符号に関連付けて記録した設定状態特定データを記憶する記憶部と、
付与された前記識別符号を示す識別符号表示が配設された前記測定部、接続される前記測定部の前記識別符号を示す前記識別符号表示が配設された前記信号ケーブル、前記信号ケーブルを介して接続される前記測定部の前記識別符号を示す前記識別符号表示が配設された前記被接続部、前記信号ケーブルを介して接続される前記測定部の前記識別符号を示す前記識別符号表示が配設された前記測定用センサ、および取り付けられる前記測定用センサが接続される前記測定部の前記識別符号を示す前記識別符号表示が配設された前記被取付け部のうちの前記予め規定された少なくとも１つが含まれるように撮像した撮像データを出力可能な撮像部と、
前記測定部に対する前記測定条件の設定が完了しているか否かを設定状態確認画面に表示させる確認画面表示処理を実行する処理部とを備えて構成された測定条件設定情報表示装置において当該処理部に当該確認画面表示処理を実行させる確認画面表示用プログラムであって、
前記確認画面表示処理として、前記撮像部から出力される前記撮像データを画像解析処理して当該撮像部によって撮像された部位に配設されている前記識別符号表示が示す前記識別符号を特定する第１処理、および当該第１処理において特定した前記識別符号が付与されている前記測定部に対する前記測定条件の設定が完了しているか否かを前記設定状態特定データに基づいて特定する第２処理を前記処理部に実行させ、かつ前記画像データに基づく画像を前記設定状態確認画面に表示させると共に、前記第２処理において前記測定条件の設定が完了していると特定した前記測定部の前記識別符号を示す前記識別符号表示が配設された前記予め規定された少なくとも１つの像の当該画像内における位置に対応させて当該設定状態確認画面内に設定完了表示を表示させる第３処理、および前記第２処理において前記測定条件の設定が完了していないと特定した前記測定部の前記識別符号を示す前記識別符号表示が配設された前記予め規定された少なくとも１つの像の当該画像内における位置に対応させて当該設定状態確認画面内に設定未完了表示を表示させる第４処理の少なくとも一方を前記処理部に実行させる手順が記録されている確認画面表示用プログラム。
【発明の詳細な説明】
【技術分野】
【０００１】
本発明は、測定対象についての被測定量を測定部に測定させるための測定条件が設定されているか否かを特定可能な設定状態確認画面を表示する測定条件設定情報表示装置、およびそのような情報を表示させるための確認画面表示用プログラム、並びに、測定条件設定情報表示装置と測定装置とを備えて測定条件に従って被測定量を測定可能に構成された測定システムに関するものである。
【背景技術】
【０００２】
例えば、下記の特許文献に開示されている電気設備の検査判定装置（以下、単に「検査判定装置」ともいう）は、パーソナルコンピュータおよび検査装置を備え、検査対象の電気設備についての予め規定された被測定量を測定すると共に、その測定結果に基づいて電気設備を検査する（良否を判定する）ことができるように構成されている。
【０００３】
この検査判定装置によって検査対象の電気設備を検査する際には、まず、検査装置による検査内容（後述する測定条件等）を記したチェックシートのデータをパーソナルコンピュータにおいて生成する。次いで、通信用のケーブルを介して検査装置にパーソナルコンピュータを接続し、チェックシートのデータを検査装置に送信する。続いて、検査装置からパーソナルコンピュータを切り離すと共に、検査装置の測定部（絶縁抵抗測定部および電圧・相順測定部）に測定用プローブや測定用の信号線を接続し、かつ測定用の信号線の他端を電源装置における測定対象の回路に接続する。
【０００４】
次いで、検査装置の操作部を操作することにより、チェックシートのデータに従って絶縁抵抗測定部に絶縁抵抗を測定させ、かつ電圧・相順測定部に電圧および相順を測定させる（測定処理の実行）。この際には、検査装置の表示部に表示されるナビゲーション（検査箇所を示す画像等）に従って測定用プローブを任意の検査箇所に接触させ、絶縁抵抗、電圧および相順などを測定する。これにより、両測定部による測定結果を示す測定データが各検査箇所に対応付けられて検査装置の記憶装置に順次保存される。また、測定データの保存と並行して測定値と判定基準値とが比較されて検査箇所についての良否が自動判定され、その判定結果が表示部に表示されると共に、判定結果を示すデータが検査箇所に対応付けられて記憶装置に記憶される。
【０００５】
一方、検査装置による検査処理（測定処理、および良否判定処理）が完了したときには、検査装置にパーソナルコンピュータを再び接続し、保存されている測定データや良否判定の結果を示すデータをパーソナルコンピュータに送信する。この際には、検査装置による測定結果や良否判定結果が、パーソナルコンピュータに保存されているチェックシートの対応する検査箇所の欄に入力され、各検査箇所の良否を特定可能なチェックシート（検査報告書）のデータが生成される。この後、生成されたデータを検査報告書としてプリントアウトすることにより、電気設備の回路における各検査箇所についての一連の検査作業が完了する。
【先行技術文献】
【特許文献】
【０００６】
【特許文献１】特開２００６−２００８９７号公報（第７−１１頁、第１−１１図）
【発明の概要】
【発明が解決しようとする課題】
【０００７】
ところが、従来の検査判定装置には、以下の解決すべき問題点が存在する。すなわち、従来の検査判定装置では、パーソナルコンピュータにおいて生成したチェックシートのデータ（測定条件のデータ）を検査装置に送信し、検査装置において各測定部がチェックシートのデータに従って検査対象についての絶縁抵抗などを測定する構成が採用されている。この場合、この種の装置の使用に際しては、測定処理（検査処理）の開始に先立ち、測定条件の設定が完了しているか否かを確認する作業が行われる。また、この種の装置においては、予め規定された手順に従って測定条件設定画面を表示部に表示させることにより、各測定部に対する測定条件の設定が完了しているか否かを確認することが可能となっている。
【０００８】
しかしながら、測定条件の設定が完了しているか否かを確認するためだけに測定条件設定画面を表示部させる煩雑な操作を行うのは、測定処理を迅速に開始する妨げとなる。また、この種の装置の操作に不慣れな利用者にとっては、複数の測定部が存在するときに、設定が完了しているか否かを確認すべき測定部とは異なる測定部についての測定条件設定画面を表示させてしまい、実際には、測定条件の設定が完了していないにも拘わらず、設定が完了していると誤って認識してしまったり、測定条件の設定が完了しているにも拘わらず、設定が完了していないと誤って認識してしまったりすることがある。したがって、設定が完了しているか否かの確認作業（測定条件設定画面を表示させる操作）を慎重に行う必要があり、この作業が非常に煩雑となっている。
【０００９】
このため、従来の検査判定装置では、測定条件の設定が完了しているか否かを確認する作業に長い時間を要しているという現状があり、この時間の分だけ、測定処理（検査処理）を迅速に開始することができないという問題点がある。
【００１０】
本発明は、かかる問題点に鑑みてなされたものであり、測定条件の設定が完了しているか否かを確実かつ容易に確認し得る測定条件設定情報表示装置、測定システムおよび確認画面表示用プログラムを提供することを主目的とする。
【課題を解決するための手段】
【００１１】
上記目的を達成すべく請求項１記載の測定条件設定情報表示装置は、予め設定された測定条件に従って測定対象についての被測定量を測定する測定部、当該測定部に接続される信号ケーブル、当該信号ケーブルを介して前記測定部に接続される前記測定対象の被接続部、前記信号ケーブルを介して前記測定部に接続される測定用センサ、および当該測定用センサが取り付けられる前記測定対象の被取付け部のうちの予め規定された少なくとも１つの像を示す画像データを記憶すると共に、前記測定部に対する前記測定条件の設定が完了しているか否かを特定可能な情報を当該測定部に付与された識別符号に関連付けて記録した設定状態特定データを記憶する記憶部と、付与された前記識別符号を示す識別符号表示が配設された前記測定部、接続される前記測定部の前記識別符号を示す前記識別符号表示が配設された前記信号ケーブル、前記信号ケーブルを介して接続される前記測定部の前記識別符号を示す前記識別符号表示が配設された前記被接続部、前記信号ケーブルを介して接続される前記測定部の前記識別符号を示す前記識別符号表示が配設された前記測定用センサ、および取り付けられる前記測定用センサが接続される前記測定部の前記識別符号を示す前記識別符号表示が配設された前記被取付け部のうちの前記予め規定された少なくとも１つが含まれるように撮像した撮像データを出力可能な撮像部と、前記測定部に対する前記測定条件の設定が完了しているか否かを設定状態確認画面に表示させる確認画面表示処理を実行する処理部とを備え、前記処理部は、前記確認画面表示処理において、前記撮像部から出力される前記撮像データを画像解析処理して当該撮像部によって撮像された部位に配設されている前記識別符号表示が示す前記識別符号を特定する第１処理、および当該第１処理において特定した前記識別符号が付与されている前記測定部に対する前記測定条件の設定が完了しているか否かを前記設定状態特定データに基づいて特定する第２処理を実行し、かつ前記画像データに基づく画像を前記設定状態確認画面に表示させると共に、前記第２処理において前記測定条件の設定が完了していると特定した前記測定部の前記識別符号を示す前記識別符号表示が配設された前記予め規定された少なくとも１つの像の当該画像内における位置に対応させて当該設定状態確認画面内に設定完了表示を表示させる第３処理、および前記第２処理において前記測定条件の設定が完了していないと特定した前記測定部の前記識別符号を示す前記識別符号表示が配設された前記予め規定された少なくとも１つの像の当該画像内における位置に対応させて当該設定状態確認画面内に設定未完了表示を表示させる第４処理の少なくとも一方を実行する。
【００１２】
また、請求項２記載の測定条件設定情報表示装置は、請求項１記載の測定条件設定情報表示装置において、前記記憶部は、前記測定部に対して設定された前記測定条件の測定条件データを前記設定が完了しているか否かを特定可能な情報として当該測定条件が設定された前記測定部の前記識別符号に関連付けて前記設定状態特定データとして記憶し、前記処理部は、前記第２処理において、前記識別符号に関連付けられた前記測定条件データが存在するときに当該識別符号が付与された前記測定部に対する前記測定条件の設定が完了していると特定し、前記識別符号に関連付けられた前記測定条件データが存在しないときに当該識別符号が付与された前記測定部に対する前記測定条件の設定が完了していないと特定する。
【００１３】
さらに、請求項３記載の測定条件設定情報表示装置は、請求項２記載の測定条件設定情報表示装置において、前記処理部は、前記第２処理において前記測定部に対する前記測定条件の設定が完了していると特定したときに、前記第３処理において前記測定条件データに基づいて特定される前記測定条件を示す文字情報を前記設定完了表示として表示させる。
【００１４】
また、請求項４記載の測定条件設定情報表示装置は、請求項１から３のいずれかに記載の測定条件設定情報表示装置において、前記処理部は、前記第３処理において前記予め規定された少なくとも１つにおける前記識別符号表示の像の位置に対応させて前記設定状態確認画面内に前記設定完了表示を表示させ、前記第４処理において前記予め規定された少なくとも１つにおける前記識別符号表示の像の位置に対応させて前記設定状態確認画面内に前記設定未完了表示を表示させる。
【００１５】
さらに、請求項５記載の測定条件設定情報表示装置は、請求項１から４のいずれかに記載の測定条件設定情報表示装置において、前記処理部は、前記撮像部から出力される前記撮像データを前記予め規定された少なくとも１つの像の前記画像データとして前記記憶部に記憶させる画像データ取得処理を実行する。
【００１６】
また、請求項６記載の測定条件設定情報表示装置は、請求項１から５のいずれかに記載の測定条件設定情報表示装置において、外部装置と通信可能な通信部を備え、前記処理部は、前記通信部を制御して前記設定状態特定データの送信を要求する送信要求信号を前記外部装置に向けて送信させると共に当該外部装置から送信された当該設定状態特定データを前記記憶部に記憶させる設定状態特定データ取得処理を実行する。
【００１７】
さらに、請求項７記載の測定条件設定情報表示装置は、請求項１から６のいずれかに記載の測定条件設定情報表示装置において、前記処理部は、前記第２処理において前記測定条件の設定が完了していないと特定した前記測定部が存在し、かつ予め規定された設定開始操作が行われたときに、当該測定条件の設定が完了していない測定部に対する当該測定条件の設定を行う設定画面を表示させると共に、当該設定画面内に入力される当該測定条件の測定条件データを生成して前記記憶部に記憶させる測定条件データ生成処理を実行する。
【００１８】
また、請求項８記載の測定システムは、請求項１から７のいずれかに記載の測定条件設定情報表示装置と、前記測定部を有して前記測定対象についての前記被測定量を測定可能に構成された測定装置とを備えて構成されている。
【００１９】
また、請求項９記載の確認画面表示用プログラムは、予め設定された測定条件に従って測定対象についての被測定量を測定する測定部、当該測定部に接続される信号ケーブル、当該信号ケーブルを介して前記測定部に接続される前記測定対象の被接続部、前記信号ケーブルを介して前記測定部に接続される測定用センサ、および当該測定用センサが取り付けられる前記測定対象の被取付け部のうちの予め規定された少なくとも１つの像を示す画像データを記憶すると共に、前記測定部に対する前記測定条件の設定が完了しているか否かを特定可能な情報を当該測定部に付与された識別符号に関連付けて記録した設定状態特定データを記憶する記憶部と、付与された前記識別符号を示す識別符号表示が配設された前記測定部、接続される前記測定部の前記識別符号を示す前記識別符号表示が配設された前記信号ケーブル、前記信号ケーブルを介して接続される前記測定部の前記識別符号を示す前記識別符号表示が配設された前記被接続部、前記信号ケーブルを介して接続される前記測定部の前記識別符号を示す前記識別符号表示が配設された前記測定用センサ、および取り付けられる前記測定用センサが接続される前記測定部の前記識別符号を示す前記識別符号表示が配設された前記被取付け部のうちの前記予め規定された少なくとも１つが含まれるように撮像した撮像データを出力可能な撮像部と、前記測定部に対する前記測定条件の設定が完了しているか否かを設定状態確認画面に表示させる確認画面表示処理を実行する処理部とを備えて構成された測定条件設定情報表示装置において当該処理部に当該確認画面表示処理を実行させる確認画面表示用プログラムであって、前記確認画面表示処理として、前記撮像部から出力される前記撮像データを画像解析処理して当該撮像部によって撮像された部位に配設されている前記識別符号表示が示す前記識別符号を特定する第１処理、および当該第１処理において特定した前記識別符号が付与されている前記測定部に対する前記測定条件の設定が完了しているか否かを前記設定状態特定データに基づいて特定する第２処理を前記処理部に実行させ、かつ前記画像データに基づく画像を前記設定状態確認画面に表示させると共に、前記第２処理において前記測定条件の設定が完了していると特定した前記測定部の前記識別符号を示す前記識別符号表示が配設された前記予め規定された少なくとも１つの像の当該画像内における位置に対応させて当該設定状態確認画面内に設定完了表示を表示させる第３処理、および前記第２処理において前記測定条件の設定が完了していないと特定した前記測定部の前記識別符号を示す前記識別符号表示が配設された前記予め規定された少なくとも１つの像の当該画像内における位置に対応させて当該設定状態確認画面内に設定未完了表示を表示させる第４処理の少なくとも一方を前記処理部に実行させる手順が記録されている。
【発明の効果】
【００２０】
請求項１記載の測定条件設定情報表示装置では、確認画面表示処理において、撮像部から出力される撮像データを画像解析処理して撮像された識別符号表示が示す識別符号を特定する第１処理、および特定した識別符号が付与されている測定部に対する測定条件の設定が完了しているか否かを設定状態特定データに基づいて特定する第２処理を実行し、かつ画像データに基づく画像を設定状態確認画面に表示させると共に、設定が完了していると特定した測定部、並びにその測定部の識別符号を示す識別符号表示が配設された信号ケーブル、測定対象の被接続部、測定用センサ、および測定対象の被取付け部のうちの予め規定された少なくとも１つの像の位置に対応させて設定状態確認画面内に設定完了表示を表示させる第３処理、および設定が完了していないと特定した測定部の識別符号を示す識別符号表示が配設された上記の予め規定された少なくとも１つの像の位置に対応させて設定状態確認画面内に設定未完了表示を表示させる第４処理の少なくとも一方を実行する。
【００２１】
また、請求項８記載の測定システムでは、測定条件設定情報表示装置と、上記の測定部を有して測定対象についての被測定量を測定可能に構成された測定装置とを備えて構成されている。さらに、請求項９記載の確認画面表示用プログラムでは、測定条件設定情報表示装置の処理部に上記の確認画面表示処理を実行させる手順が記録されている。
【００２２】
したがって、請求項１記載の測定条件設定情報表示装置、請求項８記載の測定システムおよび請求項９記載の確認画面表示用プログラムによれば、測定部に配設されている識別符号表示、信号ケーブルに配設されている識別符号表示、測定用センサに配設されている識別符号表示、および測定対象（被接続部および被取付け部）に配設されている識別符号表示を撮像部によって撮像するだけで、設定状態確認画面内に表示されている画像内における測定部の像、信号ケーブルの像、測定用センサの像、測定対象（被接続部および被取付け部）の像の位置に対応して設定完了表示や設定未完了表示が設定状態確認画面内に表示されるため、動作条件設定画面を表示させる煩雑な操作を行うことなく、この種の装置の操作に不慣れな利用者に対しても、各測定部に対する測定条件の設定が完了しているか否かを確実かつ容易に確認させることができる。また、測定条件の設定が完了しているか否かを動作条件設定画面を表示させて確認するのとは異なり、撮像部によって撮像した識別符号表示の識別符号が付与されている測定部についての設定完了表示や設定未完了表示が設定状態確認画面内に自動的に表示されるため、確認すべき測定部とは異なる測定部についての測定条件の設定が完了しているか否かが誤って確認される事態を招くことなく、確認すべき測定部に対する測定条件の設定が完了しているか否かを確実に確認させることができる。
【００２３】
また、請求項２記載の測定条件設定情報表示装置によれば、第２処理において、識別符号に関連付けられた測定条件データが存在するときに識別符号が付与された測定部に対する測定条件の設定が完了していると特定し、識別符号に関連付けられた測定条件データが存在しないときに識別符号が付与された測定部に対する測定条件の設定が完了していないと特定することにより、測定条件の設定が完了しているか否かを測定条件設定情報表示装置において特定するために専用の設定状態特定データを生成することなく、測定装置による測定処理の実行に必要な測定条件データを設定状態特定データとして利用して、測定条件設定情報表示装置において測定条件の設定が完了しているか否かを特定することができるため、専用の設定状態特定データを生成する作業が不要となる分だけ、測定条件の設定が完了しているか否かを一層容易に特定させることができる。
【００２４】
さらに、請求項３記載の測定条件設定情報表示装置によれば、第２処理において測定部に対する測定条件の設定が完了していると特定したときに、第３処理において測定条件データに基づいて特定される測定条件を示す文字情報を設定完了表示として表示させることにより、単に、測定条件の設定が完了していると特定させるだけではなく、どのような条件が設定されているかを認識させることができる。このため、例えば、利用者が意図しない測定条件が設定されているときには、設定されている測定条件を、利用者が意図した測定条件に変更させて、利用者が希望する測定処理を実行させることができる。
【００２５】
また、請求項４記載の測定条件設定情報表示装置によれば、第３処理において予め規定された少なくとも１つにおける識別符号表示の像の位置に対応させて設定状態確認画面内に設定完了表示を表示させ、第４処理において予め規定された少なくとも１つにおける識別符号表示の像の位置に対応させて設定状態確認画面内に設定未完了表示を表示させることにより、複数の測定部が存在するときに、いずれの測定部に対する測定条件の設定が完了しており、いずれの測定部に対する測定条件の設定が完了していないかを確実かつ容易に認識させることができる。
【００２６】
さらに、請求項５記載の測定条件設定情報表示装置によれば、撮像部から出力される撮像データを上記の予め規定された少なくとも１つの像の画像データとして記憶部に記憶させる画像データ取得処理を実行可能に構成したことにより、予め規定された少なくとも１つの像を設定状態確認画面内に表示させるためだけに、予め規定された少なくとも１つを描いた画像の画像データを生成しておくことなく、識別符号表示が貼付されている部位を撮像部によって撮像するたけで、予め規定された少なくとも１つの像を設定状態確認画面内に表示させ、その像に対応させて設定完了表示や設定未完了表示を表示させることができる。これにより、予め規定された少なくとも１つを描いた画像の画像データを生成する作業が不要となる分だけ、測定条件の設定が完了しているか否かを一層容易に特定させることができる。
【００２７】
さらに、請求項６記載の測定条件設定情報表示装置によれば、設定状態特定データの送信を要求する送信要求信号を外部装置に向けて送信させると共に外部装置から送信された設定状態特定データを記憶部に記憶させる設定状態特定データ取得処理を実行可能に構成したことにより、設定状態特定データを測定装置から容易に取得することができるため、リムーバブルメディア等を介して設定状態特定データを取得するのと比較して、測定条件の設定が完了しているか否かを一層容易に特定させることができる。
【００２８】
また、請求項７記載の測定条件設定情報表示装置によれば、測定条件の設定が完了していない測定部に対する測定条件の設定を行う設定画面を表示させると共に、設定画面内に入力される測定条件の測定条件データを生成して記憶部に記憶させる測定条件データ生成処理を実行可能に構成したことにより、測定条件の設定が完了しないことを確認したときに、他の機器を操作することなく、測定条件設定情報表示装置において測定条件を設定することができるため、測定装置による測定処理を迅速に開始させることができる。
【図面の簡単な説明】
【００２９】
【図１】測定システム１００の構成を示すブロック図である。
【図２】測定装置１（測定ユニット１３ａ，１３ｂ）について説明するための説明図である。
【図３】接続具１１ａ，１１ｂおよび信号ケーブル１１ｃについて説明するための説明図である。
【図４】測定用センサ１２および信号ケーブル１２ｃについて説明するための説明図である。
【図５】測定対象基板Ｘについて説明するための説明図である。
【図６】携帯情報端末２における表示部２３（設定状態確認画面５０）に測定装置１の背面を撮像した画像Ｉａを表示させた状態の表示画面図である。
【図７】携帯情報端末２における表示部２３（設定状態確認画面５０）に接続具１１ａ，１１ｂおよび信号ケーブル１１ｃを撮像した画像Ｉｂを表示させた状態の表示画面図である。
【図８】携帯情報端末２における表示部２３（設定状態確認画面５０）に測定用センサ１２および信号ケーブル１２ｃを撮像した画像Ｉｃを表示させた状態の表示画面図である。
【図９】携帯情報端末２における表示部２３（設定状態確認画面５０、設定状態確認画面６０）に測定対象基板Ｘを撮像した画像Ｉｄを表示させた状態の表示画面図である。
【発明を実施するための形態】
【００３０】
以下、本発明に係る測定条件設定情報表示装置、測定システムおよび確認画面表示用プログラムの実施の形態について、添付図面を参照して説明する。
【００３１】
図１に示す測定システム１００は、「測定システム」の一例であって、測定装置１および携帯情報端末２を備え、「測定対象」についての予め規定された「被測定量」を測定して記録することができるように構成されている。なお、「測定条件設定情報表示装置」、「測定システム」および「確認画面表示用プログラム」の発明についての理解を容易とするために、一例として、以下の説明では、図５に示す測定対象基板Ｘを「測定対象」とし、かつ「被測定量」として電圧値および電流値を測定するものとする。
【００３２】
測定装置１は、「測定装置」および「外部装置」の一例であって、図１に示すように、信号ケーブル１１ｃを介して接続具１１ａ，１１ｂが接続される測定ユニット１３ａと、信号ケーブル１２ｃを介して測定用センサ１２が接続される測定ユニット１３ｂと、通信部１４、処理部１５および記憶部１６とを備えている。
【００３３】
測定ユニット１３ａは、「測定部」の一例である図示しない電圧測定部と、電圧測定部に接続された接続用コネクタＣａ（信号入力部：図２参照）とを備え、この接続用コネクタＣａに信号ケーブル１１ｃを介して接続される接続具１１ａ，１１ｂ（いずれも図３参照）の間の電圧値（接続具１１ａ，１１ｂが接続される任意の２点間の電圧値：「測定対象についての被測定量」の一例）を予め設定された測定条件に従って測定可能に構成されている。また、測定ユニット１３ａにおける接続用コネクタＣａの近傍には、接続用コネクタＣａに接続されている上記の電圧測定部に対して付与された「識別符号」を示すコードラベルＬａ１（「識別符号表示」の一例）が貼付されている。この場合、コードラベルＬａ１には、上記の「識別符号」と共に、このコードラベルＬａ１が「測定ユニット」に貼付されたラベルであることを示す予め規定された「符号」が記されている。
【００３４】
さらに、測定ユニット１３ｂは、「測定部」の他の一例である図示しない電流測定部と、電流測定部に接続された接続用コネクタＣｂ（信号入力部：図２参照）とを備え、この接続用コネクタＣｂに信号ケーブル１２ｃ（「信号ケーブル」の他の一例）を介して接続される測定用センサ１２（いずれも図４参照）によってクランプしている導体を流れる電流の電流値（「測定対象についての被測定量」の他の一例）を予め設定された測定条件に従って測定可能に構成されている。また、測定ユニット１３ｂにおける接続用コネクタＣｂの近傍には、接続用コネクタＣｂに接続されている上記の電流測定部に対して付与された「識別符号」を示すコードラベルＬｂ１（「識別符号表示」の他の一例）が貼付されている。この場合、コードラベルＬｂ１には、上記の「識別符号」と共に、このコードラベルＬｂ１が「測定ユニット」に貼付されたラベルであることを示す予め規定された「符号」が記されている。
【００３５】
この場合、コードラベルＬａ１，Ｌｂ１は、一例として、カラービット（登録商標）の規格に従って上記の「識別符号」などがカラーコード化されて記されている。なお、後述するコードラベルＬａ２，Ｌａ３（図３，５参照）についても、コードラベルＬａ１と同様にして、測定ユニット１３ａの電圧測定部に付与された「識別符号」などがカラービットの規格に従ってカラーコード化されて記され、コードラベルＬｂ２，Ｌｂ３（図４，５参照）についても、コードラベルＬｂ１と同様にして、測定ユニット１３ｂの電流測定部に付与された「識別符号」などがカラービットの規格に従ってカラーコード化されて記されている。以下、コードラベルＬａ１〜Ｌａ３を区別しないときには、「コードラベルＬａ」ともいい、コードラベルＬｂ１〜Ｌｂ３を区別しないときには、「コードラベルＬｂ」ともいい、コードラベルＬａ，Ｌｂを区別しないときには「コードラベルＬ」ともいう。
【００３６】
接続具１１ａ，１１ｂは、測定装置１（測定ユニット１３ａ）を測定対象基板Ｘに接続するための「接続具」の一例であるテストリードであって、図３に示すように、信号ケーブル１１ｃ（「信号ケーブル」の一例）を介して接続される接続用コネクタＣａに接続されている測定ユニット１３ａの電圧測定部に付与された「識別符号」を示すコードラベルＬａ２が貼付されている。この場合、コードラベルＬａ２には、上記の「識別符号」と共に、このコードラベルＬａ２が「接続具」に貼付されたラベルであることを示す予め規定された「符号」が記されている。なお、本例では、接続具１１ａ，１１ｂにコードラベルＬａ２を貼付しているが、同図に破線で示すように、信号ケーブル１１ｃにコードラベルＬａ２を貼付してもよい。
【００３７】
測定用センサ１２は、「測定用センサ」の一例である「クランプ型電流検出センサ」であって、図４に示すように、信号ケーブル１２ｃ（「信号ケーブル」の他の一例）を介して接続される接続用コネクタＣｂに接続されている測定ユニット１３ｂの電流測定部に付与された「識別符号」を示すコードラベルＬｂ２が貼付されている。この場合、コードラベルＬｂ２には、上記の「識別符号」と共に、このコードラベルＬｂ２が「測定用センサ」に貼付されたラベルであることを示す予め規定された「符号」が記されている。なお、本例では、測定用センサ１２にコードラベルＬｂ２を貼付しているが、同図に破線で示すように、信号ケーブル１２ｃにコードラベルＬｂ２を貼付してもよい。
【００３８】
通信部１４は、後述するように、処理部１５の制御に従って携帯情報端末２などの各種無線通信機器との間で各種のデータを送受信することができるように構成されている。この場合、本例の測定装置１では、一例として、ブルートゥース等の近距離無線通信規格に準ずる無線通信が可能な通信アダプタで通信部１４が構成されている。
【００３９】
処理部１５は、測定装置１を総括的に制御する。具体的には、処理部１５は、後述する測定条件データＤ０に従い、測定ユニット１３ａ（電圧測定部）を制御して電圧値を測定させると共に、測定ユニット１３ｂ（電流測定部）を制御して電流値を測定させる。また、処理部１５は、測定ユニット１３ａ，１３ｂによる測定結果に基づいて測定結果データＤ２を生成し、生成した測定結果データＤ２を記憶部１６に記憶させる。さらに、処理部１５は、携帯情報端末２等からの送信要求に応じて記憶部１６から測定条件データＤ０、後述する識別符号特定用データＤ１、および測定結果データＤ２を読み出して通信部１４から携帯情報端末２等に送信させる。
【００４０】
記憶部１６は、測定条件データＤ０、識別符号特定用データＤ１および測定結果データＤ２などを記憶する。この場合、測定条件データＤ０は、「測定条件データ」の一例であって、測定ユニット１３ａの電圧測定部に対して設定された測定条件、および測定ユニット１３ｂの電流測定部に対して設定された測定条件が記録されている。この測定条件データＤ０は、測定装置１における図示しない操作部を操作して測定装置１において生成するだけではなく、携帯情報端末２や、図示しない外部装置（パーソナルコンピュータ等）において生成したものを記憶部１６に記憶させてもよい。また、識別符号特定用データＤ１は、測定ユニット１３ａの電圧測定部に対して付与された「識別符号」、および測定ユニット１３ｂの電流測定部に対して付与された「識別符号」を記録したデータで構成されている。この識別符号特定用データＤ１は、測定装置１の製造者が予め規定した「識別符号」を記録して記憶部１６に記憶させたり、測定装置１の利用者が任意に規定した「識別符号」を記録して記憶部１６に記憶させたりすることができる。
【００４１】
この場合、本例の「測定対象」である測定対象基板Ｘは、図５に示すように、入力端子Ｘｉおよび出力端子Ｘｏを有する実装部品Ｘａが実装されると共に、入力端子ＸｉにはケーブルＸｉｃが接続され、かつ出力端子ＸｏにはケーブルＸｏｃが接続されている。また、本例では、一例として、接続具１１ａを実装部品Ｘａの入力端子Ｘｉに接続し、かつ、接続具１１ｂを測定対象基板Ｘのグランド電位に接続した状態において入力端子Ｘｉとグランド電位との間の電位差（電圧）を測定すると共に、出力端子Ｘｏに接続されているケーブルＸｏｃを測定用センサ１２によってクランプすることでケーブルＸｏｃを流れる電流の電流値を測定するものとする。
【００４２】
この場合、接続具１１ａおよび信号ケーブル１１ｃを介して測定ユニット１３ａの接続用コネクタＣａに接続される入力端子Ｘｉが「測定対象の被接続部」に相当すると共に、信号ケーブル１２ｃを介して測定ユニット１３ｂの接続用コネクタＣｂに接続される測定用センサ１２によってクランプされる（測定用センサ１２が取り付けられる）ケーブルＸｏｃが「測定対象の被取付け部」に相当する。
【００４３】
また、測定対象基板Ｘにおける実装部品Ｘａの入力端子Ｘｉの近傍（実装部品Ｘａが実装されている基板面）には、接続具１１ａおよび信号ケーブル１１ｃを介して接続される接続用コネクタＣａに接続されている測定ユニット１３ａの電圧測定部に付与された「識別符号」を示すコードラベルＬａ３が貼付されている。なお、本例では、測定対象基板Ｘの基板面にコードラベルＬａ３を貼付しているが、同図に破線で示すように、実装部品Ｘａの表面における入力端子Ｘｉの近傍や、入力端子Ｘｉに接続されているケーブルＸｉｃにコードラベルＬａ３を貼付してもよい。
【００４４】
さらに、実装部品Ｘａの出力端子Ｘｏに接続されているケーブルＸｏｃの近傍（ケーブルＸｏｃが接続された実装部品Ｘａが実装されている基板面）には、ケーブルＸｏｃをクランプする（ケーブルＸｏｃに取り付けられる）測定用センサ１２が接続される接続用コネクタＣｂに接続されている測定ユニット１３ｂの電流測定部に付与された「識別符号」を示すコードラベルＬｂ３が貼付されている。なお、本例では、測定対象基板Ｘの基板面にコードラベルＬｂ３を貼付しているが、同図に破線で示すように、実装部品Ｘａの表面における出力端子Ｘｏの近傍や、出力端子Ｘｏに接続されているケーブルＸｏｃにコードラベルＬｂ３を貼付してもよい。
【００４５】
一方、携帯情報端末２は、「測定条件設定情報表示装置」に相当し、一例として、確認画面表示用プログラムＤｐ（「確認画面表示用プログラム」の一例）をインストールした既存のタブレット端末やスマートフォン等の携帯型情報端末で構成されている。この場合、広義には、「タブレット端末」は「タッチパネル等のポインティングデバイスと表示装置とを備えた携帯情報端末」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００４６】
この携帯情報端末２は、図１に示すように、カメラ２１、操作部２２、表示部２３、通信部２４、処理部２５および記憶部２６を備えている。なお、実際の携帯情報端末２は、上記の各構成要素２１〜２７の他に、「タブレット端末」や「スマートフォン」としての各種機能を実現するための各種の構成要素を備えているが、「測定条件設定情報表示装置」の構成に関する理解を容易とするために、上記の各構成要素２１〜２７以外の構成要素についての図示および説明を省略する。
【００４７】
カメラ２１は、「撮像部」の一例であって、後述するように、測定装置１、接続具１１ａ，１１ｂ、測定用センサ１２および測定対象基板Ｘなどを撮像した撮像データＤａを生成して処理部２５に出力する。操作部２２は、表示部２３の前面側に配設されたタッチパネルや、携帯情報端末２を「タブレット端末」や「スマートフォン」として機能させるための各種の操作スイッチを備え、操作に応じた操作信号を処理部２５に出力する。表示部２３は、一例として液晶表示パネルを備え、処理部２５の制御に従い、設定状態確認画面５０（図６〜図９参照）、測定装置１の測定条件を設定する「測定条件設定画面（図示せず）」、および設定状態確認画面６０（図９参照）などの各種の表示画面を表示する。
【００４８】
通信部２４は、「通信部」の一例であって、後述するように、処理部２５の制御に従って測定装置１などの各種無線通信機器との間で各種のデータを送受信することができるように構成されている。この場合、本例の携帯情報端末２では、一例として、前述した測定装置１の通信部１４と同様にブルートゥース等の近距離無線通信規格に準ずる無線通信が可能な通信アダプタで通信部２４が構成されている。この通信部２４は、後述するように、処理部２５の制御に従い、測定装置１に対して各種データの装置を要求する要求信号を送信したり、測定装置１から送信される各種データを受信して処理部２５に出力したりする。
【００４９】
処理部２５は、「処理部」の一例であって、携帯情報端末２を総括的に制御する。具体的には、処理部２５は、予め規定された操作が行われたときに、確認画面表示用プログラムＤｐの記述に従い、通信部２４を制御して測定条件データＤ０および識別符号特定用データＤ１の送信を要求する送信要求信号を「外部装置」としての測定装置１に向けて送信させると共に、測定装置１から送信された測定条件データＤ０および識別符号特定用データＤ１を記憶部２６に記憶させる処理（「設定状態特定データ取得処理」の一例）を実行する。なお、この例では、測定条件データＤ０および識別符号特定用データＤ１の両データが「設定状態特定データ」に相当する。
【００５０】
また、処理部２５は、確認画面表示用プログラムＤｐの記述に従って測定装置１における測定ユニット１３ａの電圧測定部に対する測定条件の設定、および測定ユニット１３ｂの電流測定部に対する測定条件の設定が完了しているか否かを設定状態確認画面５０（図６〜図９参照）に表示させる確認画面表示処理を実行する。この場合、処理部２５は、確認画面表示処理において、確認画面表示用プログラムＤｐの記述に従い、「第１処理」から「第４処理」までの各処理、および「画像データ取得処理」などを実行する。
【００５１】
具体的には、処理部２５は、カメラ２１から出力される撮像データＤａを画像解析処理することにより、カメラ２１によって撮像された部位に配設されているコードラベルＬが示す「識別符号」を特定する処理を「第１処理」として実行する。また、処理部２５は、「第１処理」による特定の結果（識別符号）と、記憶部２６に記憶させた測定条件データＤ０および識別符号特定用データＤ１とに基づき、特定した「識別符号」が付与されている測定部（本例では、測定ユニット１３ａの電圧測定部、または測定ユニット１３ｂの電流測定部）に対する測定条件の設定が完了しているか否かを特定する処理を「第２処理」として実行する。さらに、処理部２５は、カメラ２１から出力される撮像データＤａを「予め規定された少なくとも１つの像の画像データ」として記憶部２６に記憶させる「画像データ取得処理」を実行する。
【００５２】
また、処理部２５は、図６〜図９に示すように、記憶部２６に記憶させた撮像データＤａの画像Ｉａ〜Ｉｄ等を設定状態確認画面５０に表示させると共に、「第２処理」において測定条件の設定が完了していると特定した測定部の「識別符号」を示すコードラベルＬの像ＩＬａ１〜ＩＬａ３，ＩＬｂ１〜ＩＬｂ３（以下、像ＩＬａ１〜ＩＬａ３を区別しないときには「像ＩＬａ」ともいい、像ＩＬｂ１〜ＩＬｂ３を区別しないときには「像ＩＬｂ」ともいい、像ＩＬａ，ＩＬｂを区別しないときには「像ＩＬ」ともいう）の画像Ｉａ〜Ｉｄ内における位置に対応させて設定状態確認画面５０内に設定情報表示５１を表示させる処理を「第３処理」として実行する。この場合、「第３処理」として設定状態確認画面５０内に設定情報表示５１を表示させるときに、処理部２５は、設定情報表示５１を対応させて表示させる像ＩＬのコードラベルＬによって示される「識別符号」の測定部に対して設定されている「測定条件」を測定条件データＤ０に基づいて特定し、特定した測定条件を示す文字情報を設定情報表示５１内に「設定完了表示」として表示させる。
【００５３】
さらに、処理部２５は、「第２処理」において測定条件の設定が完了していないと特定した測定部の「識別符号」を示すコードラベルＬの像ＩＬの画像Ｉａ〜Ｉｄ内における位置に対応させて、設定状態確認画面５０内に設定情報表示５１を表示させる処理を「第４処理」として実行する。この場合、「第４処理」として設定状態確認画面５０内に設定情報表示５１を表示させるときに、処理部２５は、一例として、設定情報表示５１内に「測定条件の設定が完了していません。」とのメッセージを「設定未完了表示」として表示させる。
【００５４】
また、処理部２５は、「第２処理」において測定条件の設定が完了していないと特定した測定部が存在する状態、すなわち、設定状態確認画面５０内に「設定未完了表示」としての設定情報表示５１を表示させている状態において、その設定情報表示５１をタッチする操作（「予め規定された設定開始操作」の一例）が行われたときに、設定状態確認画面５０に代えて、測定条件の設定が完了していない測定部に対する測定条件の設定を行う設定画面（図示せず）を表示部２３に表示させると共に、設定画面内に入力される測定条件に応じて測定条件データＤ０を生成して記憶部２６に記憶させる「測定条件データ生成処理」を実行する。なお、上記の各処理の具体的な手順については、図面を参照しつつ詳細に後述する。
【００５５】
記憶部２６は、「記憶部」の一例であって、インストールされた確認画面表示用プログラムＤｐを記憶すると共に、後述するように測定装置１から送信された測定条件データＤ０、識別符号特定用データＤ１および測定結果データＤ２や、カメラ２１から出力された撮像データＤａなどを記憶する。この場合、確認画面表示用プログラムＤｐ、各データＤ０〜Ｄ２および撮像データＤａなどを記憶するための「記憶部」は、携帯情報端末２の内蔵メモリで構成された記憶部２６に限定されず、携帯情報端末２に装着された各種のリムーバブルメモリを「記憶部」として使用することもできる。
【００５６】
次に、測定システム１００による測定対象基板Ｘについての被測定量の測定処理について、添付図面を参照して説明する。
【００５７】
なお、以下の例では、一例として、測定装置１の製造者（測定ユニット１３ａ，１３ｂの製造者）によって、測定ユニット１３ａの電圧測定部、および測定ユニット１３ｂの電流測定部に対してこれらを識別可能な「識別符号」がそれぞれ付与され、かつ付与された「識別符号」を記録した識別符号特定用データＤ１が測定装置１の記憶部１６に記憶されているものとする。また、測定ユニット１３ａ，１３ｂにおける接続用コネクタＣａ，Ｃｂの近傍には、前述したようにコードラベルＬａ１，Ｌｂ１が貼付され、接続用コネクタＣａに接続される接続具１１には、コードラベルＬａ２が貼付され、かつ接続用コネクタＣｂに接続される測定用センサ１２には、コードラベルＬｂ２が貼付されているものとする。
【００５８】
この測定システム１００による被測定量の測定に際しては、まず、両測定ユニット１３ａ（電圧測定部）および測定ユニット１３ｂ（電流測定部）に実行させる測定処理の測定条件を設定する。この場合、本例の測定システム１００では、前述したように、図示しないパーソナルコンピュータ等において測定条件を設定して測定条件データＤ０を生成することもできるが、一例として、測定装置１の図示しない操作部を操作して任意の測定条件を設定する。これにより、測定ユニット１３ａの電圧測定部によって実行すべき測定処理（電圧測定処理）の測定条件が電圧測定部に対して付与されている「識別符号」に対応付けられて記録され、かつ、測定ユニット１３ｂの電流測定部によって実行すべき測定処理（電流測定処理）の測定条件が電流測定部に対して付与されている「識別符号」に対応付けられて記録された測定条件データＤ０が測定装置１において生成されて記憶部１６に記憶される。
【００５９】
次いで、測定装置１の図示しない操作部、および携帯情報端末２の操作部２２を操作して、測定装置１の通信部１４と、携帯情報端末２の通信部２４との間における無線通信を行うための通信確立設定（ペアリング）を行う。なお、この通信確立設定の内容については公知のため、詳細な説明を省略する。
【００６０】
続いて、携帯情報端末２の操作部２２を操作することにより、測定条件データＤ０および識別符号特定用データＤ１の送信を要求する送信要求信号を通信部２４から送信させる。この際に、携帯情報端末２（通信部２４）からの送信要求信号を通信部１４によって受信した測定装置１では、処理部１５が、記憶部１６から測定条件データＤ０および識別符号特定用データＤ１を読み出すと共に、読み出した測定条件データＤ０および識別符号特定用データＤ１を通信部１４から携帯情報端末２（通信部２４）に送信させる。また、携帯情報端末２では、処理部２５が通信部２４によって受信された測定条件データＤ０および識別符号特定用データＤ１を記憶部２６に記憶させる。これにより、「設定状態特定データ取得処理」が完了する。以上の作業を測定処理の開始に先立って実行しておくことにより、以下に説明する測定処理を迅速に開始することができる。
【００６１】
次いで、測定装置１の設置作業を実行する。具体的には、接続具１１（信号ケーブル１１ｃ）を測定装置１における測定ユニット１３ａの接続用コネクタＣａに接続し、かつ測定用センサ１２（信号ケーブル１２ｃ）を測定ユニット１３ｂの接続用コネクタＣｂに接続すると共に、測定用センサ１２によって測定対象基板ＸのケーブルＸｏｃをクランプする（「測定対象の被取付け部」への「測定用センサ」の取付け）。また、図５に示すように、測定対象基板Ｘの実装部品Ｘａにおける入力端子Ｘｉの近傍にコードラベルＬａ３を貼付すると共に、測定対象基板Ｘの実装部品Ｘａにおける出力端子Ｘｏに接続されているケーブルＸｏｃの近傍にコードラベルＬｂ３を貼付する。これにより、設置作業が完了し、測定装置１による測定処理を開始する準備が整う。
【００６２】
この場合、前述した測定条件の設定作業を行ってからある程度の時間が経過したときに測定装置１の設置作業を行う場合には、測定ユニット１３ａ，１３ｂ（電圧測定部や電流測定部）に対する測定条件の設定が完了しているか否かを忘れてしまうことがある。したがって、測定条件の設定が完了しているか否かの記憶が曖昧なときには、一例として、上記の設置作業を開始するのに先立ち、携帯情報端末２の操作部２２を操作して確認画面表示処理を実行させることにより、測定条件の設定が完了しているか否かを確認する。
【００６３】
この確認画面表示処理では、処理部２５は、確認画面表示用プログラムＤｐに従い、まず、設定状態確認画面５０を表示部２３に表示させると共に、カメラ２１を制御して撮像を開始させる。この際に、携帯情報端末２のカメラ２１を測定装置１の背面（測定ユニット１３ａ，１３ｂにおける接続用コネクタＣａ，Ｃｂの配設部：コードラベルＬａ１，Ｌｂ１が貼付されている部位）に向けることにより、カメラ２１によって測定装置１の背面が撮像されて撮像データＤａが出力される。
【００６４】
また、処理部２５は、カメラ２１から出力される撮像データＤａを記憶部２６に記憶させると共に（「画像データ取得処理」の一例）、撮像データＤａを画像解析処理してカメラ２１によって撮像された部位に配設されているコードラベルＬ（この例では、測定ユニット１３ａにおける接続用コネクタＣａの近傍に貼付されたコードラベルＬａ１、および測定ユニット１３ｂにおける接続用コネクタＣｂの近傍に貼付されたコードラベルＬｂ１）が示す「識別符号」を特定する（「第１処理」の一例）。この際に、カメラ２１の画角内にコードラベルＬａ１，Ｌｂ１が存在しないとき、すなわち、撮像データＤａを画像解析処理したときに、コードラベルＬの像が撮像データＤａ内に存在しないと特定したときに、処理部２５は、一例として「測定条件の設定が完了しているか否かを確認する対象のコードラベルを撮像して下さい。」とのメッセージを設定状態確認画面５０内に表示させる。
【００６５】
また、カメラ２１の画角内にコードラベルＬａ１，Ｌｂ１のいずれか、または双方が存在し、撮像データＤａを画像解析処理した際に、いずれかのコードラベルＬの像が示す「識別符号」を特定することができたときに、処理部２５は、特定した「識別符号」が付与されている電圧測定部および電流測定部に対する測定条件の設定が完了しているか否かを特定する（「第２処理」の一例）。
【００６６】
この際には、記憶部２６に記憶されている識別符号特定用データＤ１に基づき、コードラベルＬａ１によって示される「識別符号」が、測定ユニット１３ａの電圧測定部に対して付与された「識別符号」であり、コードラベルＬｂ１によって示される「識別符号」が、測定ユニット１３ｂの電流測定部に対して付与された「識別符号」であると特定される。また、処理部２５は、電圧測定部の「識別符号」に関連付けられた測定条件データＤ０が記憶部２６に記憶されているか否か（測定条件データＤ０が存在するか否か）を判別し、記憶されているときには、電圧測定部に対する測定条件の設定が完了していると特定し、記憶されていないときには、電圧測定部に対する測定条件の設定が完了していないと特定する。同様にして、電流測定部の「識別符号」に関連付けられた測定条件データＤ０が記憶部２６に記憶されているか否か（測定条件データＤ０が存在するか否か）を判別し、記憶されているときには、電流測定部に対する測定条件の設定が完了していると特定し、記憶されていないときには、電流測定部に対する測定条件の設定が完了していないと特定する。
【００６７】
また、処理部２５は、上記の「第１処理」および「第２処理」と並行して、カメラ２１から出力されて記憶部２６に記憶させた撮像データＤａの画像を設定状態確認画面５０内に表示させる。この際に、測定装置１の背面を撮像している本例では、図６に示すように、測定装置１の像Ｉ１（接続用コネクタＣａ，Ｃｂの像ＩＣａ，ＩＣｂやコードラベルＬａ１，Ｌｂ１の像ＩＬａ１，ＩＬｂ１を含む測定ユニット１３ａ，１３ｂの像Ｉ１３ａ，Ｉ１３ｂ）を含む画像Ｉａが設定状態確認画面５０内に表示される。また、処理部２５は、画像Ｉａ内におけるコードラベルＬａ１，Ｌｂ１の像ＩＬａ１，ＩＬｂ１の位置に対応させて設定情報表示５１をそれぞれ表示させる。
【００６８】
この際に、上記の「第２処理」において、測定ユニット１３ａにおける電圧測定部に対する測定条件の設定が完了していると特定したとき、すなわち、電圧測定部の「識別符号」に対応する測定条件データＤ０が存在したときに、処理部２５は、その測定条件データＤ０に基づいて特定される測定条件の一部を示す文字情報（一例として、「測定レンジ」、「測定可能範囲の上限値」および「測定可能範囲の下限値」を示す文字情報）を像ＩＬａ１に対応付けて表示する設定情報表示５１内に「設定完了表示」として表示させる（「第３処理」の一例：図示せず）。これにより、設定状態確認画面５０を見ている利用者は、カメラ２１を向けている測定装置１における測定ユニット１３ａ（電圧測定部）に対する測定条件の設定が完了していると直感的に認識する。
【００６９】
また、上記の「第２処理」において、測定ユニット１３ａにおける電圧測定部に対する測定条件の設定が完了していないと特定したとき、すなわち、電圧測定部の「識別符号」に対応する測定条件データＤ０が存在しないときに、処理部２５は、一例として、「測定条件の設定が完了していません。」とのメッセージを像ＩＬａ１に対応付けて表示する設定情報表示５１内に「設定未完了表示」として表示させる（「第４処理」の一例：図示せず）。これにより、設定状態確認画面５０を見ている利用者は、カメラ２１を向けている測定装置１における測定ユニット１３ａ（電流測定部）に対する測定条件の設定が完了していないと直感的に認識する。
【００７０】
なお、詳細な説明を省略するが、測定ユニット１３ｂ（電流測定部）についても上記の測定ユニット１３ａ（電圧測定部）についての「第３処理」および「第４処理」と同様にして、測定条件の設定が完了しているか否かが判別されてコードラベルＬｂ１の像ＩＬｂ１に対応付けられて表示される設定情報表示５１内に、測定条件の一部を示す文字情報（設定が完了しているとき）、および「測定条件の設定が完了していません。」とのメッセージ（設定が完了していないとき）のいずれかが表示される。
【００７１】
この場合、カメラ２１から出力されて記憶部２６に記憶させた撮像データＤａの画像Ｉａを「画像データに基づく画像」として設定状態確認画面５０内に表示させている本例の携帯情報端末２では、処理部２５が、カメラ２１から逐次出力されて記憶部２６に記憶される撮像データＤａに基づき、設定状態確認画面５０内の画像Ｉａを一定時間間隔（例えば、０．５秒間隔）で更新する。したがって、例えば、設定状態確認画面５０の端に測定装置１の像Ｉ１が表示されたときには、カメラ２１を測定装置１の中央部に向けるように測定装置１に対して携帯情報端末２を移動させたり傾けたりすることにより、設定状態確認画面５０の中央部に像Ｉ１が表示されるように調整する。また、測定装置１とカメラ２１（携帯情報端末２）との間の距離が長過ぎて設定状態確認画面５０内の画像Ｉａにおける測定装置１の像Ｉ１が小さ過ぎるときには、測定装置１に対して携帯情報端末２を近付けたり、ズームイン操作を行ったりすることにより、設定状態確認画面５０内に像Ｉ１が適当な大きさで表示されるように調整する。
【００７２】
さらに、測定装置１とカメラ２１（携帯情報端末２）との間の距離が短過ぎて設定状態確認画面５０内の画像Ｉａにおける測定装置１の像Ｉ１が大き過ぎるとき（測定装置１の像Ｉ１の全体が設定状態確認画面５０内に表示されず、測定ユニット１３ａ，１３ｂの像ｉ１３ａ，Ｉ１３ｂの一部だけが設定状態確認画面５０内に表示されているとき）には、測定装置１から携帯情報端末２を遠ざけたり、ズームアウト操作を行ったりすることにより、設定状態確認画面５０内に像Ｉ１が適当な大きさで表示されるように調整する。
【００７３】
また、処理部２５は、設定状態確認画面５０内の画像Ｉａを更新するときに、画像Ｉａ内におけるコードラベルＬａ１，Ｌｂ１の像ＩＬａ１，ＩＬｂ１の位置に応じて設定情報表示５１の表示位置を変化させる。これにより、測定ユニット１３ａにおける接続用コネクタＣａの近傍に貼付されているコードラベルＬａ１の像ＩＬａ１に対応付けられて表示される設定情報表示５１の内容、および測定ユニット１３ｂにおける接続用コネクタＣｂの近傍に貼付されているコードラベルＬｂ１の像ＩＬｂ１に対応付けられて表示される設定情報表示５１の内容（すなわち、測定条件の設定が完了しているか否か）を確実かつ容易に把握することが可能となる。
【００７４】
また、本例の携帯情報端末２では、「第２処理」において、測定ユニット１３ａにおける電圧測定部、および測定ユニット１３ｂにおける電流測定部のいずれか（または、双方）に対する測定条件の設定が完了していないと特定したとき、すなわち、電圧測定部の「識別符号」に対応する測定条件データＤ０、および電流測定部の「識別符号」に対応する測定条件データＤ０のいずれか（または、双方）が存在せず、対応する設定情報表示５１内に上記の「設定未完了表示」としてのメッセージが表示されたときに、設定が完了していない測定条件を携帯情報端末２において設定して測定条件データＤ０を生成することが可能となっている。
【００７５】
具体的には、処理部２５は、一例として、「第２処理」において測定ユニット１３ａ（電圧測定部）についての測定条件の設定が完了していないと特定し（「測定条件の設定が完了していないと特定した測定部が存在し」との状態の一例）、電圧測定部に対して付与された「識別符号」を示すコードラベルＬａ１の像ＩＬａ１に対応付けて表示させている設定情報表示５１内に「設定未完了表示」としての上記のようなメッセージを表示させている状態において、その設定情報表示５１に対するタッチ操作が行われたとき（「予め規定された設定開始操作が行われたとき」の一例）に、測定ユニット１３ａ（電圧測定部）に対する測定条件の設定を行う測定条件設定画面（図示せず）を表示部２３に表示させる。
【００７６】
次いで、処理部２５は、測定条件設定画面の各部に入力される諸条件（この例では、電圧測定部に実行させる電圧測定処理の測定条件）に基づいて測定条件データＤ０を生成し、生成した測定条件データＤ０を、電圧測定部に対して付与されている「識別符号」に関連付けて記憶部２６に記憶させる（「測定条件データ生成処理」の一例）。また、処理部２５は、記憶部２６への測定条件データＤ０の記憶が完了したときに、測定ユニット１３ａの電圧測定部に付与されている「識別符号」のコードラベルＬａ１の像ＩＬａ１の位置に対応させて表示させている設定情報表示５１内に、生成した測定条件データＤ０に基づいて特定される測定条件の一部を示す文字情報を「設定完了表示」として表示させる（「第３処理」の他の一例：図示せず）。これにより、設定状態確認画面５０を見ている利用者は、測定ユニット１３ａ（電圧測定部）に対する測定条件の設定が完了したと直感的に認識する。
【００７７】
さらに、本例の携帯情報端末２では、「第２処理」において測定条件の設定が完了していると特定した測定部についての測定条件を携帯情報端末２において変更する（再設定する）ことができるように構成されている。具体的には、例えば、「第２処理」において測定ユニット１３ｂ（電流測定部）についての測定条件の設定が完了していると特定し、電流測定部に対して付与された「識別符号」を示すコードラベルＬｂ１の像ＩＬｂ１に対応付けて表示させている設定情報表示５１内に「設定完了表示」としての文字情報（測定条件の一部を示す文字情報）を表示させている状態において、その設定情報表示５１に対するタッチ操作が行われたときに、測定ユニット１３ｂ（電流測定部）に対する測定条件の設定を行う測定条件設定画面（図示せず）を表示部２３に表示させると共に、電流測定部に付与されている「識別符号」に対応付けられて記憶部２６に記憶されている測定条件データＤ０の内容（この例では、前述したように測定装置１において設定した測定条件）を測定条件設定画面内に表示させる。
【００７８】
次いで、処理部２５は、利用者によって変更される諸条件（この例では、電流測定部に実行させる電圧測定処理の新たな測定条件）に基づいて測定条件データＤ０を生成し、生成した測定条件データＤ０を、電流測定部に対して付与されている「識別符号」に関連付けて記憶部２６に記憶させる。さらに、処理部２５は、記憶部２６への測定条件データＤ０の記憶が完了したときに、測定ユニット１３ｂの電流測定部に付与されている「識別符号」のコードラベルＬｂ１の像ＩＬｂ１の位置に対応させて表示させている設定情報表示５１内に表示されている文字情報を、変更後の測定条件を示す文字情報に表示替えする（図示せず）。これにより、設定状態確認画面５０を見ている利用者は、測定ユニット１３ｂ（電流測定部）に対する測定条件の設定変更が完了したと直感的に認識する。
【００７９】
なお、携帯情報端末２において測定条件の設定作業を新規に行ったとき（記憶部２６に新たな測定条件データＤ０が記憶されたとき）や、携帯情報端末２において既存の測定条件の変更作業を行ったとき（記憶部２６に記憶されている測定条件データＤ０が新たな測定条件データＤ０に変更されたとき）には、携帯情報端末２の通信部２４から測定装置１に対して新たな測定条件データＤ０を送信する。この際には、測定装置１の処理部１５が通信部１４によって受信された測定条件データＤ０を記憶部１６に追記または上書きする。これにより、携帯情報端末２において設定された測定条件に従って各種の測定処理を実行することが可能となる。
【００８０】
一方、測定ユニット１３ａ（電圧測定部）および測定ユニット１３ｂ（電流測定部）に対する測定条件の設定が完了しているかを確認する際に、測定装置１の背面（コードラベルＬａ１，Ｌｂ１が貼付されている部位：測定ユニット１３ａ，１３ｂにおける接続用コネクタＣａ，Ｃｂの配設部位）をカメラ２１によって撮像して画像Ｉａおよび設定情報表示５１，５１を設定状態確認画面５０内に表示させる例について説明したが、本例の携帯情報端末２では、電圧測定部に対する測定条件の設定が完了しているか否かを確認する際に、コードラベルＬａ２が貼付されている接続具１１をカメラ２１によって撮像したり、電流測定部に対する測定条件の設定が完了しているか否かを確認する際に、コードラベルＬｂ２が貼付されている測定用センサ１２をカメラ２１によって撮像したりすることもできる。
【００８１】
具体的には、測定ユニット１３ａにおける電圧測定部に対する測定条件の設定が完了しているか否かを確認する際に、携帯情報端末２のカメラ２１を接続具１１に向けたときには、カメラ２１によって接続具１１が撮像されて撮像データＤａが出力される。この際に、処理部２５は、カメラ２１から出力される撮像データＤａを記憶部２６に記憶させると共に（「画像データ取得処理」の他の一例）、その撮像データＤａを画像解析処理してカメラ２１によって撮像された部位に配設されているコードラベルＬａ２が示す「識別符号」を特定し（「第１処理」の他の一例）、特定した「識別符号」が付与されている電圧測定部に対する測定条件の設定が完了しているか否かを特定する（「第２処理」の他の一例）。
【００８２】
この際には、記憶部２６に記憶されている識別符号特定用データＤ１に基づき、コードラベルＬａ２が示す「識別符号」が測定ユニット１３ａの電圧測定部に対して付与された「識別符号」であると特定されると共に、電圧測定部の「識別符号」に関連付けられた測定条件データＤ０が記憶部２６に記憶されているか否か（測定条件データＤ０が存在するか否か）に基づき、電圧測定部に対する測定条件の設定が完了しているか否かが特定される。次いで、処理部２５は、記憶部２６に記憶させた撮像データＤａの画像を設定状態確認画面５０内に表示させる。この際には、図７に示すように、接続具１１ａ（１１ｂ）の像Ｉ１１ａ（Ｉ１１ｂ）、信号ケーブル１１ｃの像Ｉ１１ｃ、およびコードラベルＬａ２の像ＩＬａ２などを含む画像Ｉｂが設定状態確認画面５０内に表示される。
【００８３】
また、処理部２５は、画像Ｉｂ内におけるコードラベルＬａ２の像ＩＬａ２の位置に対応させて設定情報表示５１を表示させる。さらに、処理部２５は、対応する測定条件データＤ０が記憶部２６に記憶されており、「第２処理」において電圧測定部に対する測定条件の設定が完了していると特定したときは、その測定条件データＤ０に基づいて特定される測定条件を示す文字情報を「設定完了表示」として設定情報表示５１内に表示させ、対応する測定条件データＤ０が記憶部２６に記憶されておらず、「第２処理」において電圧測定部に対する測定条件の設定が完了していないと特定したときは、上記したようなメッセージを「設定未完了表示」として設定情報表示５１内に表示させる。これにより、測定装置１の背面を撮像した上記の例のときと同様にして、設定状態確認画面５０を見ている利用者は、カメラ２１を向けている接続具１１が接続される測定ユニット１３ａ（電圧測定部）に対する測定条件の設定が完了しているか否かを直感的に認識する。
【００８４】
この場合、本例とは相違するが、例えば、測定装置１における測定ユニット１３ａと同様の「測定ユニット」を複数備えた「測定装置」において、各「測定ユニット」に上記の接続具１１と同様の「接続具」がそれぞれ接続されているときには、いずれの「接続具」が、いずれの「測定ユニット」に接続されているかを特定するのが困難となるおそれがある。このような場合にも、上記のコードラベルＬａ２のような「識別符号表示」を各「接続具」に配設しておくことにより、その「接続具」を撮像するだけで上記の設定状態確認画面５０と同様の「設定状態確認画面」が表示されるため、撮像した「接続具」が接続されている「測定ユニット」についての測定条件が設定されているか否かだけでなく、その「接続具」がいずれの「測定ユニット」に接続されているかについても直感的に認識させることができる。
【００８５】
また、測定ユニット１３ｂ（電流測定部）に対する測定条件の設定が完了しているか否かを確認する際に、携帯情報端末２のカメラ２１を、コードラベルＬｂ２が貼付されている測定用センサ１２に向けたときには、カメラ２１によって測定用センサ１２が撮像されて撮像データＤａが出力される。この際に、処理部２５は、カメラ２１から出力される撮像データＤａを記憶部２６に記憶させると共に（「画像データ取得処理」のさらに他の一例）、その撮像データＤａを画像解析処理してカメラ２１によって撮像された部位に配設されているコードラベルＬｂ２が示す「識別符号」を特定し（「第１処理」のさらに他の一例）、特定した「識別符号」が付与されている電流測定部に対する測定条件の設定が完了しているか否かを特定する（「第２処理」のさらに他の一例）。
【００８６】
この際には、記憶部２６に記憶されている識別符号特定用データＤ１に基づき、コードラベルＬｂ２が示す「識別符号」が測定ユニット１３ｂの電流測定部に対して付与された「識別符号」であると特定されると共に、電流測定部の「識別符号」に関連付けられた測定条件データＤ０が記憶部２６に記憶されているか否か（測定条件データＤ０が存在するか否か）に基づき、電流測定部に対する測定条件の設定が完了しているか否かが特定される。次いで、処理部２５は、記憶部２６に記憶させた撮像データＤａの画像を設定状態確認画面５０内に表示させる。この際には、図８に示すように、測定用センサ１２の像Ｉ１２、信号ケーブル１２ｃの像Ｉ１２ｃ、およびコードラベルＬｂ２の像ＩＬｂ２などを含む画像Ｉｃが設定状態確認画面５０内に表示される。
【００８７】
また、処理部２５は、画像Ｉｃ内におけるコードラベルＬｂ２の像ＩＬｂ２の位置に対応させて設定情報表示５１を表示させる。さらに、処理部２５は、対応する測定条件データＤ０が記憶部２６に記憶されており、「第２処理」において電流測定部に対する測定条件の設定が完了していると特定したときは、その測定条件データＤ０に基づいて特定される測定条件を示す文字情報を「設定完了表示」として設定情報表示５１内に表示させ、対応する測定条件データＤ０が記憶部２６に記憶されておらず、「第２処理」において電流測定部に対する測定条件の設定が完了していないと特定したときは、上記したようなメッセージを「設定未完了表示」として設定情報表示５１内に表示させる。これにより、測定装置１の背面を撮像した上記の例のときと同様にして、設定状態確認画面５０を見ている利用者は、カメラ２１を向けている測定用センサ１２が接続される測定ユニット１３ｂ（電流測定部）に対する測定条件の設定が完了しているか否かを直感的に認識する。
【００８８】
この場合、本例とは相違するが、例えば、測定装置１における測定ユニット１３ｂと同様の「測定ユニット」を複数備えた「測定装置」において、各「測定ユニット」に上記の測定用センサ１２と同様の「測定用センサ」がそれぞれ接続されているときには、いずれの「測定用センサ」が、いずれの「測定ユニット」に接続されているかを特定するのが困難となるおそれがある。このような場合にも、上記のコードラベルＬｂ２のような「識別符号表示」を各「測定用センサ」に配設しておくことにより、その「測定用センサ」を撮像するだけで上記の設定状態確認画面５０と同様の「設定状態確認画面」が表示されるため、撮像した「測定用センサ」が接続されている「測定ユニット」についての測定条件が設定されているか否かだけでなく、その「測定用センサ」がいずれの「測定ユニット」に接続されているかについても直感的に認識させることができる。
【００８９】
さらに、本例の携帯情報端末２では、測定ユニット１３ａの電圧測定部や測定ユニット１３ｂの電流測定部に対する測定条件の設定が完了しているか否かを確認する際に、測定ユニット１３ａに接続される接続具１１が接触させられると共に、測定ユニット１３ｂに接続される測定用センサ１２が取り付けられる（クランプさせられる）測定対象基板Ｘ（コードラベルＬａ３，Ｌｂ３が貼付されている部位）をカメラ２１によって撮像することもできる。
【００９０】
具体的には、電圧測定部や電流測定部に対する測定条件の設定が完了しているか否かを確認する際に、携帯情報端末２のカメラ２１を測定対象基板Ｘに向けたときには、カメラ２１によって測定対象基板Ｘが撮像されて撮像データＤａが出力される。この際に、処理部２５は、カメラ２１から出力される撮像データＤａを記憶部２６に記憶させると共に（「画像データ取得処理」のさらに他の一例）、その撮像データＤａを画像解析処理してカメラ２１によって撮像された部位に配設されているコードラベルＬａ３が示す「識別符号」、およびコードラベルＬｂ３が示す「識別符号」をそれぞれ特定し（「第１処理」の他の一例）、特定した「識別符号」が付与されている電圧測定部や電流測定部に対する測定条件の設定が完了しているか否かを特定する（「第２処理」の他の一例）。
【００９１】
この際には、記憶部２６に記憶されている識別符号特定用データＤ１に基づき、コードラベルＬａ３が示す「識別符号」が測定ユニット１３ａの電圧測定部に対して付与された「識別符号」であり、かつコードラベルＬｂ３が示す「識別符号」が測定ユニット１３ｂの電流測定部に対して付与された「識別符号」であると特定される。また、電圧測定部や電流測定部の「識別符号」に関連付けられた測定条件データＤ０が記憶部２６に記憶されているか否か（測定条件データＤ０が存在するか否か）に基づき、電圧測定部や電流測定部に対する測定条件の設定が完了しているか否かが特定される。次いで、処理部２５は、記憶部２６に記憶させた撮像データＤａの画像を設定状態確認画面５０内に表示させる。この際には、図９に示すように、測定対象基板Ｘにおける実装部品Ｘａ（入力端子Ｘｉおよび出力端子Ｘｏ）の像ＩＸａ（像ＩＸｉおよび像ＩＸｏ）、ケーブルＸｉｃ，Ｘｏｃの像ＩＸｉｃ，ＩＸｏｃ、およびコードラベルＬａ３，Ｌｂ３の像ＩＬａ３，ＩＬｂ３などを含む画像Ｉｄが設定状態確認画面５０内に表示される。
【００９２】
また、処理部２５は、画像Ｉｄ内におけるコードラベルＬａ３，Ｌｂ３の像ＩＬａ３，ＩＬｂ３の位置に対応させて設定情報表示５１をそれぞれ表示させる。さらに、処理部２５は、対応する測定条件データＤ０が記憶部２６に記憶されており、「第２処理」において測定条件の設定が完了していると特定したときは、その測定条件データＤ０に基づいて特定される測定条件を示す文字情報を「設定完了表示」として設定情報表示５１内に表示させ、対応する測定条件データＤ０が記憶部２６に記憶されておらず、「第２処理」において測定条件の設定が完了していないと特定したときは、上記したようなメッセージを「設定未完了表示」として設定情報表示５１内に表示させる。これにより、測定装置１の背面、接続具１１および測定用センサ１２などを撮像した上記の例のときと同様にして、設定状態確認画面５０を見ている利用者は、カメラ２１を向けている測定対象基板Ｘに接続される測定ユニット１３ａ（電圧測定部）や測定ユニット１３ｂ（電流測定部）に対する測定条件の設定が完了しているか否かを直感的に認識する。
【００９３】
この場合、本例とは相違するが、例えば、測定装置１における測定ユニット１３ａと同様の「測定ユニット」を複数備えた「測定装置」において、各「測定ユニット」に上記の接続具１１と同様の「接続具」がそれぞれ接続され、かつ、それらの「接続具」が互いに相違する「被接続部」に接続されているときや、測定装置１における測定ユニット１３ｂと同様の「測定ユニット」を複数備えた「測定装置」において、各「測定ユニット」に上記の測定用センサ１２と同様の「測定用センサ」がそれぞれ接続され、かつ、それらの「測定用センサ」が互いに相違する「被取付け部」に取り付けられているときには、いずれの「被接続部」が、いずれの「測定ユニット」に接続されているか、および、いずれの「被取付け部」が、いずれの「測定ユニット」に接続されているかを特定するのが困難となるおそれがある。このような場合にも、上記のコードラベルＬａ３，Ｌｂ３のような「識別符号表示」を各「被接続部」や各「被取付け部」に配設しておくことにより、その「被接続部」や「被取付け部」を撮像するだけで上記の設定状態確認画面５０と同様の「設定状態確認画面」が表示されるため、撮像した「被接続部」や「被取付け部」が接続されている「測定ユニット」についての測定条件が設定されているか否かだけでなく、その「被接続部」や「被取付け部」がいずれの「測定ユニット」に接続されているかについても直感的に認識させることができる。
【００９４】
なお、電圧測定部や電流測定部に対する測定条件の設定が完了しているか否かを測定装置１の設置作業を開始するのに先立って実行する例について説明したが、携帯情報端末２の処理部２５に「確認画面表示処理」を実行させるタイミングは、これに限定されない。例えば、測定ユニット１３ａ，１３ｂの接続用コネクタＣａ，Ｃｂに対する信号ケーブル１１ｃ，１２ｃの接続を完了した状態において「確認画面表示処理」を実行させることができる。この際には、図６に示す画像Ｉａに代えて、接続用コネクタＣａ，Ｃｂに信号ケーブル１１ｃ，１２ｃが接続された状態が撮像されて、そのような画像が設定状態確認画面５０内に表示され、コードラベルＬａ１，Ｌｂ１の像ＩＬａ１，ＩＬｂ１の位置に対応付けられて設定情報表示５１内に測定条件を示す文字列、またはメッセージが表示される（図示せず）。
【００９５】
また、測定対象基板Ｘの実装部品Ｘａにおける出力端子Ｘｏに接続されている出力端子Ｘｏを測定用センサ１２によってクランプした状態（測定対象基板Ｘに測定用センサ１２を取り付けた状態）において「確認画面表示処理」を実行させることができる。この際には、図９に示す画像Ｉｄに代えて、測定用センサ１２によって出力端子Ｘｏがクランプされた状態が撮像されて、そのような画像が設定状態確認画面５０内に表示され、コードラベルＬａ３，Ｌｂ３の像ＩＬａ３，ＩＬｂ３の位置に対応付けられて設定情報表示５１内に測定条件を示す文字列、またはメッセージが表示されると共に、測定用センサ１２に貼付されているコードラベルＬｂ２が撮像されているときには、コードラベルＬｂ２の像ＩＬｂ２の位置に対応付けられて、その設定情報表示５１内にも測定条件を示す文字列、またはメッセージが表示される（図示せず）。
【００９６】
さらに、接続具１１（テストリード）に代えて、図示しないクリップを「接続具」として測定ユニット１３ａの接続用コネクタＣａに接続し、このクリップを介して実装部品Ｘａの入力端子Ｘｉを電圧測定部に接続する際には、クリップを入力端子Ｘｉに接続した状態において「確認画面表示処理」を実行させることができる。この際には、入力端子Ｘｉにクリップが接続された状態が撮像されて、そのような画像が設定状態確認画面５０内に表示され、コードラベルＬａ３，Ｌｂ３の像ＩＬａ３，ＩＬｂ３の位置に対応付けられて設定情報表示５１内に測定条件を示す文字列、またはメッセージが表示されると共に、クリップに貼付されているコードラベルＬ（電圧測定部に付与された「識別符号」を示すコードラベルＬ）が撮像されているときには、そのコードラベルＬの像の位置に対応付けられて、その設定情報表示５１内にも測定条件を示す文字列、またはメッセージが表示される（図示せず）。
【００９７】
したがって、本例の携帯情報端末２では、測定装置１の設置作業の開始以前、設置作業の途中、および設置作業が完了した時点のいずれの時点においても、測定ユニット１３ａ（電圧測定部）、および測定ユニット１３ｂ（電流測定部）に対する測定条件の設定が完了しているか否かを携帯情報端末２において確認することが可能となっている。
【００９８】
一方、電圧測定部および電流測定部の双方に対する測定条件の設定が完了していると確認し、かつ、測定装置１の設置作業を完了したときには、一例として、測定装置１の図示しない操作部を操作することによって測定装置１において測定処理が実行される。この際に、処理部１５は、記憶部１６に記憶されている測定条件データＤ０に従って測定ユニット１３ａ（電圧測定部）、および測定ユニット１３ｂ（電流測定部）を制御することにより、電圧測定部による電圧測定処理を実行させ、かつ電流測定部による電流測定処理を実行させる。
【００９９】
この際には、測定ユニット１３ａの電圧測定部が、信号ケーブル１１ｃを介して入力される入力信号Ｓ１１（図１参照）に基づき、接続具１１ａ，１１ｂが接触させられている２点間の電圧値（この例では、入力端子Ｘｉと測定対象基板Ｘのグランド電位との間の電圧値）を測定して測定結果を処理部１５に出力し、処理部１５が、電圧測定部から出力される測定結果に基づいて測定結果データＤ２を生成すると共に、生成した測定結果データＤ２を、電圧測定部に付与されている「識別符号」に関連付けて記憶部１６に記憶させる。
【０１００】
また、測定ユニット１３ｂの電流測定部が、信号ケーブル１２ｃを介して入力されるセンサ信号Ｓ１２（図１参照）に基づき、測定用センサ１２がクランプしている出力端子Ｘｏを流れる電流値を測定して測定結果を処理部１５に出力し、処理部１５が、電流測定部から出力される測定結果に基づいて測定結果データＤ２を生成すると共に、生成した測定結果データＤ２を、電流測定部に付与されている「識別符号」に関連付けて記憶部１６に記憶させる。さらに、処理部１５は、電圧測定部および電流測定部による測定結果（電圧値および電流値）を測定装置１の図示しない表示部に表示させる。これにより、予め設定した測定条件に従っての各測定処理が完了する。
【０１０１】
一方、本例の測定システム１００では、測定装置１による上記の測定処理が完了して記憶部１６に測定結果データＤ２が記憶された状態において、携帯情報端末２の表示部２３に測定結果を表示させることができるように構成されている。具体的には、まず、携帯情報端末２の操作部２２を操作することにより、測定結果データＤ２の送信を要求する送信要求信号を通信部２４から送信させる。この際に、携帯情報端末２（通信部２４）からの送信要求信号を通信部１４によって受信した測定装置１では、処理部１５が、記憶部１６から測定結果データＤ２を読み出して通信部１４から携帯情報端末２（通信部２４）に送信させる。また、携帯情報端末２では、処理部２５が通信部２４によって受信された測定結果データＤ２を記憶部２６に記憶させる。
【０１０２】
次いで、携帯情報端末２の操作部２２を操作することで、「測定結果表示処理」を開始させると共に、一例として、測定対象基板Ｘ（コードラベルＬａ３，Ｌｂ３が貼付されている部位）をカメラ２１によって撮像する。この際に、処理部２５は、図９に示すように、設定状態確認画面６０を表示部２３に表示させると共に、カメラ２１から出力される撮像データＤａの画像Ｉｄを設定状態確認画面６０内に表示させる。なお、設定状態確認画面６０内への画像Ｉｄの表示については、前述した設定状態確認画面５０内への画像Ｉｄの表示のときと同様のため、詳細な説明を省略する。また、処理部２５は、撮像データＤａを画像解析処理することにより、カメラ２１によって撮像されたコードラベルＬの像（この例では、コードラベルＬａ３，Ｌｂ３の像ＩＬａ３，ＩＬｂ３）が示す「識別符号」を特定する。
【０１０３】
さらに、処理部２５は、像ＩＬａ３，ＩＬｂ３が示す「識別符号」が付与されている測定部（本例では、測定ユニット１３ａの電圧測定部、および測定ユニット１３ｂの電流測定部）による測定の結果が記録された測定結果データＤ２が記憶部２６内に存在するか否かを判別し、存在するときには、像ＩＬａ３，ＩＬｂ３の位置に対応させて測定結果表示６１内に測定結果（電圧値や電流値）を表示させる。これにより、本例の測定システム１００では、入力端子Ｘｉの電圧値、および出力端子Ｘｏを流れる電流値を直感的に把握することが可能となっている。なお、上記の例とは相違するが、電圧測定部および電流測定部による測定結果が記録された測定結果データＤ２が記憶部２６内に存在しないときに、処理部２５は、一例として、像ＩＬａ３，ＩＬｂ３の位置に対応させて測定結果表示６１内に「測定結果が存在しません。」とのメッセージを表示させる。
【０１０４】
このように、この携帯情報端末２では、確認画面表示処理において、カメラ２１から出力される撮像データＤａを画像解析処理して撮像されたコードラベルＬが示す識別符号を特定する「第１処理」、および特定した識別符号が付与されている測定部（本例では、測定ユニット１３ａの電圧測定部、および測定ユニット１３ｂの電流測定部）に対する測定条件の設定が完了しているか否かを設定状態特定データ（本例では、測定条件データＤ０および識別符号特定用データＤ１）に基づいて特定する「第２処理」を実行し、かつ撮像データＤａに基づく画像Ｉａ〜Ｉｄを設定状態確認画面５０に表示させると共に、設定が完了していると特定した測定部、並びにその測定部の識別符号を示すコードラベルＬが配設された、信号ケーブル１１ｃ，１２ｃ、測定対象基板Ｘの入力端子Ｘｉ、測定用センサ１２、および測定対象基板ＸのケーブルＸｏｃのうちの予め規定された少なくとも１つの像Ｉ１３ａ，Ｉ１３ｂ，Ｉ１１ｃ，Ｉ１２ｃ，ＩＸｉ，Ｉ１２，ＩＸｏｃの位置に対応させて設定状態確認画面５０内に「設定完了表示（本例では、測定条件を示す文字列が表示された設定情報表示５１）」を表示させる「第３処理」、および設定が完了していないと特定した測定部の識別符号を示すコードラベルＬが配設された上記の予め規定された少なくとも１つの像Ｉ１３ａ，Ｉ１３ｂ，Ｉ１１ｃ，Ｉ１２ｃ，ＩＸｉ，Ｉ１２，ＩＸｏｃの位置に対応させて設定状態確認画面５０内に「設定未完了表示（本例では、所定のメッセージが表示された設定情報表示５１）」を表示させる「第４処理」の少なくとも一方（本例では、双方）を実行する。
【０１０５】
また、この測定システム１００では、携帯情報端末２と、上記の測定部を有して測定対象基板Ｘについての電圧値や電流値を測定可能に構成された測定装置１とを備えて構成されている。さらに、この確認画面表示用プログラムＤｐでは、携帯情報端末２の処理部２５に上記の確認画面表示処理を実行させる手順が記録されている。
【０１０６】
したがって、この携帯情報端末２、測定システム１００および確認画面表示用プログラムＤｐによれば、測定ユニット１３ａ，１３ｂに貼付されているコードラベルＬａ１，Ｌｂ１、信号ケーブル１１ｃ，１２ｃに取り付けられているコードラベルＬａ２，Ｌｂ２、接続具１１に貼付されているコードラベルＬａ２、測定用センサ１２に貼付されているコードラベルＬｂ２、および測定対象基板Ｘに貼付されているコードラベルＬａ３，Ｌｂ３をカメラ２１によって撮像するだけで、設定状態確認画面５０内に表示されている画像Ｉａ〜Ｉｄ内の測定ユニット１３ａ，１３ｂの像Ｉ１３ａ，Ｉ１３ｂ、接続具１１の像Ｉ１１、測定用センサ１２の像Ｉ１２、信号ケーブル１１ｃ，１２ｃの像Ｉ１１ｃ，Ｉ１２ｃ、測定対象基板Ｘにおける入力端子ＸｉおよびケーブルＸｏｃの像ＩＸｉ，ＩＸｏｃの位置に対応して「設定完了表示」としての設定情報表示５１や「設定未完了表示」としての設定情報表示５１が設定状態確認画面５０内に表示されるため、動作条件設定画面を表示させる煩雑な操作を行うことなく、この種の装置の操作に不慣れな利用者に対しても、各測定部に対する測定条件の設定が完了しているか否かを確実かつ容易に確認させることができる。また、測定条件の設定が完了しているか否かを動作条件設定画面を表示させて確認するのとは異なり、カメラ２１によって撮像したコードラベルＬの「識別符号」が付与されている測定部についての「設定完了表示」や「設定未完了表示」が設定状態確認画面５０内に自動的に表示されるため、確認すべき測定部とは異なる測定部についての測定条件の設定が完了しているか否かが誤って確認される事態を招くことなく、確認すべき測定部に対する測定条件の設定が完了しているか否かを確実に確認させることができる。
【０１０７】
また、この携帯情報端末２によれば、「第２処理」において、識別符号に関連付けられた測定条件データＤ０が存在するとき（記憶部２６に記憶されているとき）に識別符号が付与された測定部に対する測定条件の設定が完了していると特定し、識別符号に関連付けられた測定条件データＤ０が存在しないとき（記憶部２６に記憶されていないとき）に識別符号が付与された測定部に対する測定条件の設定が完了していないと特定することにより、測定条件の設定が完了しているか否かを携帯情報端末２において特定するために専用の「設定状態特定データ」を生成することなく、測定装置１による測定処理の実行に必要な測定条件データＤ０や識別符号特定用データＤ１を「設定状態特定データ」として利用して、携帯情報端末２において測定条件の設定が完了しているか否かを特定することができるため、専用の「設定状態特定データ」を生成する作業が不要となる分だけ、測定条件の設定が完了しているか否かを一層容易に特定させることができる。
【０１０８】
さらに、この携帯情報端末２によれば、「第２処理」において測定部に対する測定条件の設定が完了していると特定したときに、「第３処理」において測定条件データＤ０に基づいて特定される測定条件を示す文字情報を「設定完了表示」として設定情報表示５１内に表示させることにより、単に、測定条件の設定が完了していると特定させるだけではなく、どのような条件が設定されているかを認識させることができる。このため、例えば、利用者が意図しない測定条件が設定されているときには、設定されている測定条件を、利用者が意図した測定条件に変更させて、利用者が希望する測定処理を実行させることができる。
【０１０９】
また、この携帯情報端末２によれば、「第３処理」において予め規定された少なくとも１つにおけるコードラベルＬの像の位置に対応させて設定状態確認画面５０内に「設定完了表示（設定情報表示５１）」を表示させ、「第４処理」において予め規定された少なくとも１つにおけるコードラベルＬの像の位置に対応させて設定状態確認画面５０内に「設定未完了表示（設定情報表示５１）」を表示させることにより、複数の測定部が存在するときに、いずれの測定部に対する測定条件の設定が完了しており、いずれの測定部に対する測定条件の設定が完了していないかを確実かつ容易に認識させることができる。
【０１１０】
さらに、この携帯情報端末２によれば、カメラ２１から出力される撮像データＤａを上記の「予め規定された少なくとも１つの像の画像データ」として記憶部２６に記憶させる画像データ取得処理を実行可能に構成したことにより、「予め規定された少なくとも１つ」の像を設定状態確認画面５０内に表示させるためだけに「予め規定された少なくとも１つ」を描いた画像の画像データを生成しておくことなく、コードラベルＬが貼付されている部位をカメラ２１によって撮像するたけで、「予め規定された少なくとも１つ」の像を設定状態確認画面５０内に表示させ、その像に対応させて「設定完了表示」や「設定未完了表示」を表示させることができる。これにより、「予め規定された少なくとも１つ」を描いた画像の画像データを生成する作業が不要となる分だけ、測定条件の設定が完了しているか否かを一層容易に特定させることができる。
【０１１１】
また、この携帯情報端末２によれば、設定状態特定データ（本例では、測定条件データＤ０および識別符号特定用データＤ１）の送信を要求する送信要求信号を「外部装置」としての測定装置１に向けて送信させると共に測定装置１から送信された設定状態特定データ（測定条件データＤ０および識別符号特定用データＤ１）を記憶部２６に記憶させる設定状態特定データ取得処理を実行可能に構成したことにより、「設定状態特定データ」として使用する測定条件データＤ０および識別符号特定用データＤ１を測定装置１から容易に取得することができるため、リムーバブルメディア等を介して「設定状態特定データ」を取得するのと比較して、測定条件の設定が完了しているか否かを一層容易に特定させることができる。
【０１１２】
さらに、この携帯情報端末２によれば、測定条件の設定が完了していない測定部に対する測定条件の設定を行う測定条件設定画面を表示させると共に、測定条件設定画面内に入力される測定条件の測定条件データＤ０を生成して記憶部２６に記憶させる測定条件データＤ０生成処理を実行可能に構成したことにより、測定条件の設定が完了しないことを確認したときに、他の機器を操作することなく、携帯情報端末２において測定条件データＤ０を生成することができるため、測定装置１による測定処理を迅速に開始させることができる。
【０１１３】
なお、「測定条件設定情報表示装置」および「測定システム」の構成や、「確認画面表示用プログラム」の処理内容については、上記の例に限定されない。例えば、カラービットの規格に従って「識別符号」をカラーコード化して記したコードラベルＬを「識別符号表示」として使用する例について説明したが、カラービットの規格に代えて、ＱＲコード（登録商標）などの各種二次元コードの規格に従って「識別符号」をコード化して記した「識別符号表示」や、バーコードなどの各種一次元コードの規格に従って「識別符号」をコード化して記した「識別符号表示」を使用することもできる。また、「識別符号表示」については、コードラベルＬのような貼付体を対象物に貼付するものに限定されず、対象物に対して直接印刷したものを使用することもできる。さらに、測定システム１００専用のコードラベルＬに代えて、対象物に対して予め貼付されている「識別符号表示」や、予め印刷されている「識別符号表示」を使用することもできる。
【０１１４】
また、「設定完了表示」を表示させる「第３処理」、および「設定未完了表示」を表示させる「第４処理」の双方を実行する例について説明したが、「第３処理」および「第４処理」の一方だけを実行する構成・処理内容を採用することもできる。この場合、「第３処理」だけを実行する構成・処理内容を採用したときには、「設定完了表示」が表示されたときに、その「設定完了表示」に対応する測定部に対する測定条件の設定が完了していると確実かつ容易に確認することができ、かつ「設定完了表示」が表示されていないときに、その測定部に対する測定条件の設定が完了していないと確実かつ容易に確認することができる。また、「第４処理」だけを実行する構成・処理内容を採用したときには、「設定未完了表示」が表示されたときに、その「設定未完了表示」に対応する測定部に対する測定条件の設定が完了していないと確実かつ容易に確認することができ、かつ「設定未完了表示」が表示されていないときに、その測定部に対する測定条件の設定が完了していると確実かつ容易に確認することができる。
【０１１５】
さらに、設定された測定条件を示す文字情報を「設定完了表示」として設定情報表示５１内に表示させると共に、「測定条件の設定が完了していません。」等の予め規定されたメッセージを「設定未完了表示」として設定情報表示５１内に表示させる例について説明したが、「設定完了表示」や「設定未完了表示」は、上記のような表示に限定されない。例えば、「○」との記号や「ＯＫ」との文字列などを「設定完了表示」として表示させたり、「×」との記号や「ＮＯ」との文字列などを「設定未完了表示」として表示させたりすることができる。また、上記のような文字や記号に代えて（または、文字や記号に加えて）緑色や青色を用いた予め規定された図柄を「設定完了表示」として表示させたり、黄色や赤色を用いた予め規定された図柄を「設定未完了表示」として表示させたりすることもできる。このような「設定完了表示」や「設定未完了表示」を表示させる構成および処理内容を採用したときにも、測定条件の設定が完了しているか否かを確実かつ容易に確認させることができる。
【０１１６】
また、カメラ２１によって撮像した撮像データＤａを「予め規定された少なくとも１つの像の画像データ」として使用する例について説明したが、「予め規定された少なくとも１つ」を描いた画像を記録した「画像データ」を使用することもできる。具体的には、測定装置１の背面を撮像した撮像データＤａに代えて、測定装置１の測定ユニット１３ａ，１３ｂおよびコードラベルＬａ１，Ｌｂ１を描いた画像を記録した画像データを使用したり、接続具１１を撮像した撮像データＤａに代えて、接続具１１およびコードラベルＬａ２を描いた画像を記録した画像データを使用したり、測定用センサ１２を撮像した撮像データＤａに代えて、測定用センサ１２およびコードラベルＬｂ２を描いた画像を記録した画像データを使用したり、測定対象基板Ｘを撮像した撮像データＤａに代えて、測定対象基板Ｘにおける実装部品Ｘａ（入力端子Ｘｉおよび出力端子Ｘｏ）やケーブルＸｉｃ，Ｘｏｃを描いた画像を記録した画像データを使用したりすることができる。
【０１１７】
この場合、撮像データＤａに代えて、対象物を描いた画像の画像データを使用する際には、対象物に対する携帯情報端末２の位置の変化や姿勢の変化を検出して、検出結果に応じて設定状態確認画面５０内の画像を表示替えするのが好ましい。具体的には、一例として、コードラベルＬａ１，Ｌｂ１によって示される「識別符号」を特定するために測定装置１の背面を携帯情報端末２のカメラ２１によって撮像したときに、測定装置１の背面を描いた画像の画像データに基づき、測定装置１の背面の画像（接続用コネクタＣａ，Ｃｂの像や、コードラベルＬａ１，Ｌｂ１の像を含む画像）を設定状態確認画面５０に表示させる。
【０１１８】
この状態において、携帯情報端末２を上向きに姿勢変化させたときには、設定状態確認画面５０内の画像を下向きにスクロールさせ、携帯情報端末２を下向きに姿勢変化させたときには、設定状態確認画面５０内の画像を上向きにスクロールさせ、携帯情報端末２を左向きに姿勢変化させたときには、設定状態確認画面５０内の画像を右向きにスクロールさせ、携帯情報端末２を右向きに姿勢変化させたときには、設定状態確認画面５０内の画像を左向きにスクロールさせる。また、測定装置１に対して携帯情報端末２を接近させたときには、設定状態確認画面５０内の画像を拡大表示させ、測定装置１から携帯情報端末２を離間させたときには、設定状態確認画面５０内の画像を縮小表示させる。
【０１１９】
これにより、カメラ２１から出力される撮像データＤａによって設定状態確認画面５０内の画像Ｉａ〜Ｉｄを逐次更新する上記の例と同様にして、測定装置１に対する携帯情報端末２の姿勢や位置の変化に応じて設定状態確認画面５０内の画像の表示位置や表示サイズが逐次変化するため、携帯情報端末２の姿勢や位置の変化に連動して表示替えされる自然な表示を視認させることができる。なお、撮像データＤａを画像解析処理することで測定装置１等に対する携帯情報端末２の姿勢や位置の変化を検出するのに代えて、携帯情報端末２が備えているＧセンサ２７（一例として、Ｘ方向、Ｙ方向およびＺ方向の３方向への携帯情報端末２の加速度をそれぞれ測定して携帯情報端末２の姿勢の変化を特定可能なセンサ信号Ｓ２７を出力する３軸加速度センサ：図１参照）からのセンサ信号Ｓ２７に基づいて測定装置１等に対する携帯情報端末２の姿勢や位置の変化を検出することもできる。
【０１２０】
また、測定装置１と携帯情報端末２との間において測定条件データＤ０、識別符号特定用データＤ１および測定結果データＤ２などを直接送受信する例について説明したが、測定装置１および携帯情報端末２の双方が接続可能な「外部装置（各種の通信アダプタや、ネットワーク内に構築された各種のサーバー）」を介してこれらのデータを送受信する構成を採用することもできる。また、測定装置１と携帯情報端末２との間で各種データを送受信する場合にも、上記のような無線通信によるデータの送受信だけでなく、有線ケーブルやリムーバブルメディア等を介して必要なデータを入出力する構成を採用することもできる。
【０１２１】
さらに、接続具１１等（テストリードやクリップ）を介して測定ユニット１３ａの電圧測定部に接続される測定対象基板Ｘにおける実装部品Ｘａの入力端子Ｘｉを「被接続部」として「確認画面表示処理」を実行する例について説明したが、「測定部」に接続される「信号ケーブル」の導線を、直接、または接続金具等を介して「測定対象」に接続する場合には、「信号ケーブル」の導線が、直接、または接続金具等を介して接続される部位を「被接続部」として「確認画面表示処理」を実行することができる。加えて、「被測定量」の一例である「電圧値」や「電流値」を測定する例について説明したが、これらの値の測定に代えて（または、これらの値の測定に加えて）、「抵抗値、電力値、位相、温度、湿度、歪み、輝度（光度）、照度、雨量および流量」などの各種の「被測定量」を測定することもできる。
【符号の説明】
【０１２２】
１００  測定システム
１  測定装置
２  携帯情報端末
１１ａ，１１ｂ  接続具
１１ｃ，１２ｃ  信号
１２  測定用センサ
１３ａ，１３ｂ  測定ユニット
１４，２４  通信部
１５，２５  処理部
１６，２６  記憶部
２１  カメラ１
２２  操作部
２３  表示部
２７  Ｇセンサ
５０  設定状態確認画面
５１  設定情報表示
Ｃａ，Ｃｂ  接続用コネクタ
Ｄ０  測定条件データ
Ｄ１  識別符号特定用データ
Ｄ２  測定結果データ
Ｄａ  撮像データ
Ｄｐ  確認画面表示用プログラム
Ｉａ〜Ｉｄ  画像
Ｉ１，Ｉ１１ａ〜Ｉ１１ｃ，Ｉ１２，Ｉ１２ｃ，Ｉ１３ａ，Ｉ１３ｂ，ＩＣａ，ＩＣｂ，ＩＬａ１〜ＩＬａ３，ＩＬｂ１〜ＩＬｂ３，ＩＸａ，ＩＸｉ，ＩＸｏ，ＩＸｉｃ，ＩＸｏｃ  像
Ｌａ１〜Ｌａ３，Ｌｂ１〜Ｌｂ３  コードラベル
Ｓ１１  入力信号
Ｓ１２，Ｓ２７  センサ信号
Ｘ  測定対象基板
Ｘａ  実装部品
Ｘｉ  入力端子
Ｘｏ  出力端子
Ｘｉｃ，Ｘｏｃ  ケーブル
【図１】
0006347711.tif 000002
【図２】
0006347711.tif 000003
【図３】
0006347711.tif 000004
【図４】
0006347711.tif 000005
【図５】
0006347711.tif 000006
【図６】
0006347711.tif 000007
【図７】
0006347711.tif 000008
【図８】
0006347711.tif 000009
【図９】
0006347711.tif 000010